(57)【要約】【目的】この発明は、従来の直流電球のあらゆる欠点を克服する事を目標にしてに考案した。現行の電球は、割れる。切れる。バッテリーや乾電池が、すぐにきれる。電球を長期に渡って使用していると次第に暗くなる。電球自体に集光性が無い。などの問題を取り去った新しい電球の開発と提供、そして普及。【構成】白色発光ダイオードと定電流ダイオードとを直列に結線し、電球のフィラメントとガラス部分を取り除いた口金部分に通電材料固定物でそれぞれのプラス端子とマイナス端子を結線しその後口金内部と２つのダイオードを固着形成した電球である。【選択図】　　図１
2004055138.tif 000002
【特許請求の範囲】
【請求項１】
あらゆるすべての直流型電球のガラス球とフィラメントと電球口金の中の絶縁体の変わりに白色発光ダイオードと定電流ダイオードとをロウ付けまたはハンダ付け、あるいは溶接、圧着プレスもしくはネジ止め等の通電材料固定物で直列に結線し、あらゆるすべての直流型電球の口金部分の中もしくは外側に１個または数個をプラス端子、マイナス端子が正しく直列もしくは並列にロウ付け、ハンダ付け、あるいは溶接または圧着プレスもしくはネジ止め等の通電材料固定物で接続し耐熱化学樹脂または、耐熱プラスチック、耐熱シリコンゴム等の絶縁体を直流型電球の口金部分の中と白色発光ダイオードと定電流ダイオードまでを充填、あるいは流し込み固着形成した長時間連続発光させてもフィラメント切れのない半永久電球とした特徴を持ったあらゆるすべての直流型電球。
【請求項２】
あらゆるすべての直流型電球のガラス球とフィラメントと電球口金の中の絶縁体のかわりに白色発光ダイオードと定電流ダイオードとをロウ付けまたはハンダ付け、あるいは溶接、圧着プレスもしくはネジ止め等の通電材料固定物で直列に結線し、あらゆるすべての直流型電球の口金部分の中もしくは外側に１個または数個をプラス端子、マイナス端子が正しく直列もしくは並列にロウ付け、ハンダ付け、あるいは溶接または圧着プレスもしくはネジ止め等の通電材料固定物で接続し耐熱化学樹脂または、耐熱プラスチック、耐熱シリコンゴム等の絶縁体を直流型電球の口金部分の中と白色発光ダイオードと定電流ダイオードまでを充填、あるいは流し込み固着形成した１メートルの高さから、どのような角度から落としてもフィラメント切れや電球割れや接続不良および断線しない耐衝撃構造の特徴をもったあらゆるすべての直流型電球。
【請求項３】
あらゆるすべての直流型電球のガラス球とフィラメントと電球口金の中の絶縁体の変わりに白色発光ダイオードと定電流ダイオードとをロウ付けまたはハンダ付け、あるいは溶接、圧着プレスもしくはネジ止め等の通電材料固定物で直列に結線し、あらゆるすべての直流型電球の口金部分の中もしくは外側に１個または数個をプラス端子、マイナス端子が正しく直列もしくは並列にロウ付け、ハンダ付け、あるいは溶接または圧着プレスもしくはネジ止め等の通電材料固定物で接続し耐熱化学樹脂または、耐熱プラスチック、耐熱シリコンゴム等の絶縁体を直流型電球の口金部分の中と白色発光ダイオードと定電流ダイオードまでを充填、あるいは流し込み固着形成した現在使用されているあらゆるすべての直流型電球よりも、どんなに最低でも６０パーセント以上少ない消費電流で発光する特徴を持った、あらゆるすべての直流型電球。
【請求項４】
あらゆるすべての直流型電球のガラス球とフィラメントと電球口金の中の絶縁体の変わりに白色発光ダイオードと定電流ダイオードとをロウ付けまたはハンダ付け、あるいは溶接、圧着プレスもしくはネジ止め等の通電材料固定物で直列に結線し、あらゆるすべての直流型電球の口金部分の中もしくは外側に１個または数個をプラス端子、マイナス端子が正しく直列もしくは並列にロウ付け、ハンダ付け、あるいは溶接または圧着プレスもしくはネジ止め等の通電材料固定物で接続し耐熱化学樹脂または、耐熱プラスチック、耐熱シリコンゴム等の絶縁体を直流型電球の口金部分の中と白色発光ダイオードと定電流ダイオードまでを充填、あるいは流し込み固着形成した白色発光ダイオードの特性によりあらゆるすべての直流型電球のメス型ソケット部分の内部の電極の極性に合わせて電球口金中央底部または上部の突起部位がプラス端子、マイナス端子の二種類がある特徴を持つ、あらゆるすべての直流型電球。
【請求項５】
あらゆるすべての直流型電球のガラス球とフィラメントと電球口金の中の絶縁体の変わりに白色発光ダイオードと定電流ダイオードとをロウ付けまたはハンダ付け、あるいは溶接、圧着プレスもしくはネジ止め等の通電材料固定物で直列に結線し、あらゆるすべての直流型電球の口金部分の中もしくは外側に１個または数個をプラス端子、マイナス端子が正しく直列もしくは並列にロウつけ、ハンダ付け、あるいは溶接または圧着プレスもしくはネジ止め等の通電材料固定物で接続し耐熱化学樹脂または、耐熱プラスチック、耐熱シリコンゴム等の絶縁体を直流型電球の口金部分の中と白色発光ダイオードと定電流ダイオードまでを充填、あるいは流し込み固着形成した種類、用途に合わせて白色発光ダイオードと定電流ダイオードとを１個または数個を並べ方を変えて電圧の変化に対応するために直列または並列に接続した白色発光ダイオードと定電流ダイオードとの数を増減することで調整、対応できる特徴を合わせ持ったあらゆるすべての直流型電球。
【請求項６】
あらゆるすべての直流型電球のガラス球とフィラメントと電球口金の中の絶縁体の変わりに白色発光ダイオードと定電流ダイオードとをロウ付けまたはハンダ付け、あるいは溶接、圧着プレスもしくはネジ止め等の通電材料固定物で直列に結線し、あらゆるすべての直流型電球の口金部分の中もしくは外側に１個または数個をプラス端子、マイナス端子が正しく直列もしくは並列にロウ付け、ハンダ付け、あるいは溶接または圧着プレスもしくはネジ止め等の通電材料固定物で接続し耐熱化学樹脂または、耐熱プラスチック、耐熱シリコンゴム等の絶縁体を直流型電球の口金部分の中と白色発光ダイオードと定電流ダイオードまでを充填、あるいは流し込み固着形成した電球の口金の突起部位のプラス端子、マイナス端子の極性と直流電流供給側のメス型ソケットの内部の電極の極性に供給されているプラス端子、マイナス端子とが合致していれば、各１個ずつの白色発光ダイオードと定電流ダイオードを直列に結線することで４ボルトから２０ボルトの電圧の変化に対応できる特徴を持ったあらゆるすべての直流型電球。
【請求項７】
現在使用されている陸上を移動する車両のほとんどの灯火、照明灯は直流型電圧６ボルトから４８ボルトであり、車両に取り付けられているメス型ソケットの内部の電極の極性のプラス端子、マイナス端子と形状と、この直流型電球の口金形状が合致していれば白色発光ダイオードと定電流ダイオードとを、各３個ずつ交互に通電材料固定物で、直列に結線し絶縁体で、固着形成した口金の電球口金中央底部または上部の突起部位に通電材料固定物接続されたプラス端子、マイナス端子の二種類でほぼすべての車両に対応できる特徴を持つあらゆるすべての直流型電球。
【請求項８】
この白色発光ダイオードの光学的特性により大変強い指向性を持ち、１個当たりの光束角度は、２０度から２５度であり、一点に集光するように固着形成すればスポットライトになり、拡げて固着形成すれば、散光ライトとなる特徴を持つあらゆるすべての直流型電球。
【発明の詳細な説明】
【０００１】
【発明の属する技術分野】この発明は現在流通している直流型電球を使用しているキーホルダーライト、ペンライトなどの極小の麦電球から懐中電灯や携帯ライト等の豆電球、スチールカメラやビデオカメラ又はデジタルカメラの撮影用照明電球、無線操作による小型模型の前照灯および確認灯電球、自動車等の車両に使われているあらゆるすべての電球、航空機、船舶に使用されているあらゆるすべての電球、道路工事等の夜間昼光作業用照明電球、特殊車両等の通常よりも高い直流電圧が流れている車両の前照灯の電球、顕微鏡の光源ライト用電球、医学用の内視鏡、胃カメラ等の照明用電球などの現在使用されているあらゆるすべてのメス型のソケット電極にオス型の口金を差し込む、あるいはネジ込むまたはひねり込む、もしくは挟み込む型のあらゆるすべての直流型電球に関する。
【０００２】
【従来の技術】従来の電球は、発明家トーマス・エジソンが電球を発明した頃より殆ど進歩しておらずガラス球の中にチッソガス等のある種の不燃性または不活性ガスを充填封印しその中へコイル状にしたフィラメントと呼ばれるある種の金属に電気を流す事により、その金属が燃焼発光しながら蒸発していたので、ある程度の時間使用すると、ガラス内部面にその金属の燃焼蒸発残留物が付着し次第に暗くなり、やがて断線し発光しなくなった。
【０００３】
【発明が解決しようとする課題】従来の電球は耐用年数が短く、また経済的に見ても同じ口金でありながら電圧の違う電球は使用する事が出来なかった。それに電球を落とすとガラスが割れたり、通電中にショックを与えるとフィラメントが切れた。
【０００４】また、乾電池やバッテリーの電流消費が多く長時間の使用に耐えられなかった。
【０００５】以上のような従来までの、欠点を書き出すと、
（イ）落とすとガラスが割れる。
（ロ）暗い場所で割れた電球のガラスで手を切る。
（ハ）電球を点灯中ぶつけるとフィラメントが切れる。
（ニ）電球の口金が同じなのに電圧が違うので使えない。
（ホ）電球のガラス体が大きいので、収納に不便。
（ヘ）通常の使用でも定期的に交換が必要。
（ト）乾電池やバッテリーの消耗が早い。
（チ）電球本体に集光性が無いか、あっても使用していると光軸がずれる。
（リ）長期に使用すると、新品の乾電池、バッテリーでも次第に暗くなる。
この発明は、以上のような欠点を無くし電球自体が半永久的に使用出来る事と共に消費電流を現在までの一番小さい電球の４０ミリアンペアよりも６０パーセント以上少ない１５ミリアンペアで、発光する電球を提供、普及させることを目標にしている。
【０００６】また、この発明の目的は、プラス端子、マイナス端子の極性を有するメス型ソケットの形状と直流型電球の口金部分の形状と、口金部分のプラス端子、マイナス端子の極性が一致していれば現在使用されている灯火照明装置がそのままでしかも特殊な装置を必要とせずに使用出来る事を目的としている。
【０００７】この発明の前記の説明とともに新規となる特徴は次の説明を添付図面と照らし合わせて読むと、より一層理解出来ると思われます。ただし、図面は解説の為の図面であって、この発明の技術的範囲を限定もしくは固定するものではありません。
【０００８】
【課題を解決するための手段】上記目的を達成するために、この発明は白色発光ダイオードと定電流ダイオードとをロウ付け、ハンダ付けあるいは溶接、圧着プレスまたはネジ止め等の通電材料固定物で直列に結線し直流型電球口金部分の中、あるいは外側に結線された白色発光ダイオードと定電流ダイオードをメス型ソケットの内部の電極の極性部分のプラス端子、マイナス端子に合わせて直流型電球口金部分プラス端子、マイナス端子に直列または並列に任意に正しくロウ付け、ハンダ付け、あるいは溶接、圧着プレスまたはネジ止め等の通電材料固定物で、そのダイオード同士の結線部分が外れたり他の極性端子に接触して発光ダイオードが短絡しショートして焼けてしまわぬように、口金の中から発光ダイオードおよび定電流ダイオードまでを耐熱化学樹脂または、耐熱プラスチック、耐熱シリコンゴム等の絶縁体を充填、あるいは流し込み、固着形成し電球口金中央底部または上部の突起部位に任意に接続されたプラス端子、マイナス端子の二種類で対応したものである。
【０００９】また、この発明はその用途目的に合わせてダイオードを直列に結線する事により高い電圧の直流電流に対応し、並列に結線する事により必要な光束角度と光量に対応するように構成され固着形成され対応する。
【発明の実施の形態】以下、図面に示すとおり、この発明を詳細に説明する。
【００１０】図１および図２の断面図はサシ込口金電球口金部分の電極の極性の違いに注目して頂きたい。口金中央底部の突起が図１ではマイナス端子であるが、図２の同じ部分はプラス端子になっている。
【００１１】図３は、この電球の上面の平面図。図４は、電球底部の平面図である。図２１は、真横から見た平面図である。図１５は、内部の概略回路図である。これは、エジソンネジ込口金や、ウェッジベース口金と共用の概略図でもある。以上が一番小さい麦電球である。
【発明の効果】
【００１２】自動車等のメーターパネル内の照明灯や単３、単４、単５乾電池、ボタン電池等の小電流の電球を使用する小型マグライト、キーホルダーライト等に適する電球であり、直流電圧４ボルトから２０ボルトまでを使用する事が出来る。
【００１３】その上、現在使用されている４０ミリアンペアよりも６０パーセントも少ない１５ミリアンペアで発光し、この発明の基本型でもある。
【００１４】図５と図６は、この発明のサシ込口金およびエジソンネジ込口金豆電球およびウェッジベース口金電球、定焦点口金や、ハロゲン電球口金やブレーキランプなどのダブル球を使用する時の電球断面図であるが、上記の麦電球と同様に、口金中央底部の電極の極性の違いがお分かりになるでしょうか。
【００１５】そして図７は、この豆電球の上部平面図であり、図８は、電球底部の平面図である。図１６は、内部の概略回路図である。そして、図２２は、この電球の真横から見た平面図である。この電球も直流電圧４ボルトから２０ボルトであるが、現在使用されている電球の２００ミリアンペアから８５０ミリアンペアの使用電流が、４分の１から１８分の１の４５ミリアンペアに低減することが出来る。
【００１６】通常ライトを使用する時、乾電池または、バッテリーの交換サイクルを大幅に長くする事が出来る。
【００１７】また、この電球は図１２の様に通常使用の場合は固着形成されるが、図１３の様に光軸を一点に集めるように固着形成すれば集光灯となり図１４の様に拡げて固着形成すれば散光灯として、キャンプサイトなどでの乾電池式ランタンなどで利用出来る。
【００１８】たとえば、阪神淡路大震災の時などの様にもし、関東大震災クラスの地震災害が東京に起これば、ライフラインは寸断され、救援隊が来られない場合は、食料は無理であっても、せめて灯りだけは周囲にガスなどの可燃物があっても安全に、そして灯火したまま数日間、乾電池の交換をせず使用し続ける事が出来る。
【００１９】また、誤って床などに落としてもランタン本体や懐中電灯が、その灯火機能が保持されるのであれば電球自体は、発光する耐衝撃構造となっている。
【００２０】図９は、一般に自動車車内灯やマップライトなどのピン無口金を使用した電球の上部から見た断面図である。このピン無口金の電球だけは、同じ形状の口金が上下両極に電極が分かれているので、この一種類で１２ボルトから６０ボルトまで対応する。
【００２１】また、同じピン無口金を使用中の現在の乗り物の電球すべてに対応できる。それから、図１０は、そのピン無口金電球の真横からの断面図である。それと、図１１は、電極の真上からの平面図で、白色発光ダイオードの上部だけが突出しているのがお分りになるでしようか。
【００２２】図２３は、それを横にして白色発光ダイオードを上にした平面図で、そして図１７は、その概略回路図である。この図の様に各３個ずつ直列に交互に結線する事で、１２ボルトから６０ボルトまで使用出来、サシ込口金電球、エジソンネジ込口金電球、ウェッジベース口金電球、定焦点口金電球、という現行の電球の変わりに、この図１７の回路図の通り仕込めばオートバイから、航空機や船舶までを、口金１種類に付き、電極２種類で済ませられる。
【００２３】また、ダブル電球口金、ハロゲン電球口金といった電球底部中央の突起部分が、２つまたは３つ有る物については、基本的に同じで２つ有る物は口金中央底部突起部分がプラス端子となり、胴体部分となる円筒部分がマイナス端子となる。
【００２４】また、図１９のように各５個ずつを直列に交互に並べれば直流電圧２０ボルトから１００ボルトまでの電圧で使用する事ができる。
【００２５】このように並べ続ければどんなに高い電圧に対しても対応可能にする事が出来る。
【００２６】また、図１８のように並列に並べることで、直流電圧４ボルトから２０ボルトで、１５０ミリアンペアになってしまうが、今までよりも４分３のから１２分の１という少ない電流で大光量電球として使用する事が出来る。
【００２７】それから、図２０のように直列に各５個ずつ、それを、３列かそれ以上に並べる事で道路工事の夜間作業等の作業灯や海上のサーチライトといった、大光量が必要な時に使用する電球として製作、固着形成される。
【００２８】また、使用中に切れると重大な事故を引き起こす恐れがある場合や、灯台などの使用を前提に直流電源で灯火を絶やさせない電球を目的に作る事が出来る。
【図面の簡単な説明】
【図１】一番小さな麦電球の断面図。口金中央底部の突起部分電極はプラス端子である。また、小さいエジソンネジ込口金や、ウェッジベース口金も同様の実施の形態となる。
【図２】同じく一番小さい麦電球の断面図。こちらは突起部分電極が、マイナス端子である。これもエジソンネジ込口金やウェッジベース口金用となる
【図３】一番小さい麦電球上部からの平面図
【図４】一番小さい麦電球底部からの平面図
【図５】サシ込口金の豆電球の断面図。口金中央底部の突起部分電極はプラス端子である。同じようなエジソンネジ込口金の豆電球も、また同様の実施の形態となる。
【図６】サシ込口金とエジソンネジ込口金の実施の形態と断面図。こちらは、口金中央底部の突起部分電極は、マイナス端子である。
【図７】この豆電球の上部からの平面図。
【図８】この豆電球底部からの平面図。
【図９】ピン無口金電球のダイオードを上に見た断面図。
【図１０】ピン無口金電球のダイオードを真横に見た断面図。
【図１１】ピン無口金電球の口金を上に見た平面図。上に出ているのは、白色発光ダイオードの上部発光部分。
【図１２】図５、図６、図７での豆電球の光軸と通常の角度を設定した展開図である。解説のために横並びとして表記した。
【図１３】同じく集光電球とするための角度設定の展開図。
【図１４】これも同じく散光電球とするための角度設定の展開図。
【図１５】この発明の図１、図２の概略回路図。
【図１６】この発明の図５、図６の概略回路図。
【図１７】この発明の図９、図１０の概略回路図。この回路のままで１２ボルトから６０ボルトまでの世界中の自動車、船舶、航空機の電球が共用できる。
【図１８】この発明の直流電圧４ボルトから２０ボルトの間で使用出来、光量が必要な時の電球の概略回路図。
【図１９】この発明の直流電圧２０ボルトから１００ボルトの間で使用できる電気の概略回路図。
【図２０】この発明の図１９の同じ電圧条件で光量が多く必要な時の電球の概略回路図。
【図２１】この発明の図１、図２の真横からの平面図。
【図２２】この発明の図５、図６の真横からの平面図。
【図２３】この発明の図９、の平面図。
【符号の説明】
１：通電材料固定物、
２：端子、
３：アノードリードフレーム、
４：白色発光ダイオード、
５：白色発光素子、
６：カソードリードフレーム、
７：定電流ダイオード、
８：電球口金、
９：端子、
１０：固着材、
１１：絶縁体、
１２：プラス端子、
１３：マイナス端子、
１４：アノード端子、
１５：カソード端子、
１６：光束角度２０度〜２５度、
１７：ＯＮ，ＯＦＦスイッチ、
１８：乾電池または、バッテリー、あるいは、直流電圧電源、
【図１】
2004055138.tif 000003
【図２】
2004055138.tif 000004
【図３】
2004055138.tif 000005
【図４】
2004055138.tif 000006
【図５】
2004055138.tif 000007
【図６】
2004055138.tif 000008
【図７】
2004055138.tif 000009
【図８】
2004055138.tif 000010
【図９】
2004055138.tif 000011
【図１０】
2004055138.tif 000012
【図１１】
2004055138.tif 000013
【図１２】
2004055138.tif 000014
【図１３】
2004055138.tif 000015
【図１４】
2004055138.tif 000016
【図１５】
2004055138.tif 000017
【図１６】
2004055138.tif 000018
【図１７】
2004055138.tif 000019
【図１８】
2004055138.tif 000020
【図１９】
2004055138.tif 000021
【図２０】
2004055138.tif 000022
【図２１】
2004055138.tif 000023
【図２２】
2004055138.tif 000024
【図２３】
2004055138.tif 000025